(57)【要約】【課題】損傷なく車両の電子制御装置と締結されるモータを提供する。【解決手段】実施例はシャフト、前記シャフトと結合するロータ、前記ロータの外側に配置されるステータ、前記ロータと前記ステータを収容するハウジング、前記ハウジングの上部に配置されるカバー、前記カバーの下部に配置される回路基板、および前記回路基板と電気的に連結されるコネクタを含み、前記カバーはカバーボディおよび前記カバーボディの下部から軸方向に突出したカバー突起を含み、前記コネクタはコネクタボディ、およびコネクタボディの一側に配置されるグロメットを含み、前記コネクタは前記グロメットを利用して前記カバー突起に形成された溝に嵌合されるモータに関する。これに伴い、前記モータは流動可能にカバーに配置され得る。【選択図】図５
2022500987.tif 000002
【特許請求の範囲】
【請求項１】
シャフトと、
前記シャフトと結合するロータと、
前記ロータの外側に配置されるステータと、
前記ロータと前記ステータを収容するハウジングと、
前記ハウジングの上部に配置されるカバーと、
前記カバーの下部に配置される回路基板と、
前記回路基板と電気的に連結されるコネクタと、を含み、
前記カバーはカバーボディおよび前記カバーボディの下部から軸方向に突出したカバー突起を含み、
前記コネクタはコネクタボディ、およびコネクタボディの一側に配置されるグロメットを含み、
前記コネクタの前記グロメットは前記カバー突起に形成された溝内に配置される、モータ。
【請求項２】
前記コネクタは前記コネクタボディの両側面からそれぞれ突出した第１突起をさらに含み、
前記第１突起は前記グロメットに形成された溝と結合する、請求項１に記載のモータ。
【請求項３】
前記グロメットはゴム材質で形成される、請求項２に記載のモータ。
【請求項４】
前記コネクタは前記コネクタボディの上部面から互いに離隔するように軸方向に突出した一対の第２突起をさらに含み、
前記第２突起の間には前記グロメットが配置される、請求項３に記載のモータ。
【請求項５】
前記コネクタは前記コネクタボディの下部面から軸方向に突出した第３突起をさらに含み、
前記第３突起は前記ハウジングに形成された溝に結合される、請求項４に記載のモータ。
【請求項６】
前記カバー突起は一領域を切開して形成された切開部を含む、請求項１に記載のモータ。
【請求項７】
前記ハウジングに配置されるパワーターミナルをさらに含み、
前記パワーターミナルは固定部材によって前記ハウジングに固定される、請求項１に記載のモータ。
【請求項８】
前記回路基板は固定部材によって前記カバーの下部に固定され、
電線によって前記回路基板と前記コネクタは電気的に連結される、請求項１に記載のモータ。
【請求項９】
前記カバーは下面から突出するように形成された突出部を含み、
前記回路基板は前記突出部に固定される、請求項８に記載のモータ。
【請求項１０】
前記グロメットは二重射出方式によって前記コネクタボディに配置される、請求項３に記載のモータ。
【発明の詳細な説明】
【技術分野】
【０００１】
実施例はモータに関する。
【背景技術】
【０００２】
モータは電気的エネルギーを機械的エネルギーに変換させて回転力を得る装置であって、車両、家庭用電化製品、産業用機器などに広範囲に使われる。
【０００３】
特に、自動車の電装化が急速に進行されるにつれて、操向システム、制動システムおよび意匠システムなどに適用されるモータの需要が大きく増加している。例えば、前記モータが使われる電子式パワーステアリングシステム（Ｅｌｅｃｔｒｏｎｉｃ  Ｐｏｗｅｒ  Ｓｔｅｅｒｉｎｇ  Ｓｙｓｔｅｍ、以下、ＥＰＳという。）は運行条件に応じてモータの駆動を制御する電子制御装置であるＥＣＵ（Ｅｌｅｃｔｒｏｎｉｃ  Ｃｏｎｔｒｏｌ  Ｕｎｉｔ）を利用して旋回安定性を保障し、迅速な復原力を提供する。それにより、車両の運転者は安全な走行ができる。
【０００４】
前記モータはハウジング、シャフト（ｓｈａｆｔ）、前記ハウジングの内周面に配置されるステータ（ｓｔａｔｏｒ）、前記シャフトの外周面に設置されるロータ（ｒｏｔｏｒ）等を含むことができる。ここで、前記ステータは前記ロータとの電気的相互作用を誘発して前記ロータの回転を誘導する。
【０００５】
そして、前記モータは車両の電子制御装置であるＥＣＵ側のコネクタと結合するコネクタおよびパワーターミナルを具備することができるが、前記コネクタ側に隙間がないと車両のＥＣＵ側のコネクタと結合過程で前記コネクタに損傷が発生する問題がある。
【０００６】
したがって、前記問題を解決するために前記隙間を形成するように前記コネクタを組み立てる別途の工程が要求され、別途の工程によって前記モータの生産性が減少する問題がある。
【発明の概要】
【発明が解決しようとする課題】
【０００７】
実施例は流動可能にカバーに配置されるコネクタを具備することによって、損傷なく車両の電子制御装置と締結されるモータを提供する。例えば、流動性が確保されるようにコネクタとカバーの結合構造を具備するモータを提供する。
【０００８】
本発明が解決しようとする課題は以上で言及された課題に限定されず、ここで言及されていないさらに他の課題は以下の記載から当業者に明確に理解され得るであろう。
【課題を解決するための手段】
【０００９】
前記課題は実施例により、シャフト、前記シャフトと結合するロータ、前記ロータの外側に配置されるステータ、前記ロータと前記ステータを収容するハウジング、前記ハウジングの上部に配置されるカバー、前記カバーの下部に配置される回路基板、および前記回路基板と電気的に連結されるコネクタを含み、前記カバーはカバーボディおよび前記カバーボディの下部から軸方向に突出したカバー突起を含み、前記コネクタはコネクタボディ、およびコネクタボディの一側に配置されるグロメットを含み、前記コネクタは前記グロメットを利用して前記カバー突起に形成された溝に嵌合されるモータによって達成される。
【００１０】
そして、前記コネクタは前記コネクタボディの両側面からそれぞれ突出した第１突起をさらに含み、前記第１突起はグロメットに形成された溝と結合され得る。
【００１１】
ここで、前記グロメットはゴム材質で形成され得る。
【００１２】
そして、前記コネクタは前記コネクタボディの上部面から互いに離隔するように軸方向に突出した一対の第２突起をさらに含み、前記第２突起の間には前記グロメットが配置され得る。
【００１３】
そして、前記コネクタは前記コネクタボディの下部面から軸方向に突出した第３突起をさらに含み、前記第３突起は前記ハウジングに形成された溝に結合され得る。
【００１４】
一方、前記カバー突起は一領域を切開して形成された切開部を含むことができる。
【００１５】
また、前記回路基板は固定部材によって前記カバーの下部に固定され、電線によって前記回路基板とコネクタは電気的に連結され得る。ここで、前記カバーは下面から突出するように形成された突出部を含み、前記回路基板は前記突出部に固定され得る。
【００１６】
また、前記グロメットは二重射出方式によって前記コネクタボディに配置され得る。
【発明の効果】
【００１７】
実施例に係るモータは、流動可能にカバーに配置されるコネクタを具備することによって、損傷なく車両の電子制御装置（ＥＣＵ）のコネクタと締結され得る。
【００１８】
また、コネクタに配置されるゴム材質のグロメットを利用してカバーに結合されるコネクタの流動性を確保することができる。この時、コネクタの内側の一領域をカバーに結合することによって、前記コネクタの流動性をさらに確保することができる。
【００１９】
また、カバーの下部に突出するように形成されたカバー突起を利用して、前記コネクタの結合を案内しながらも前記コネクタの流動性を確保することができる。
【００２０】
実施例の多様かつ有益な長所と効果は前述した内容に限定されず、実施例の具体的な実施形態を説明する過程でより容易に理解され得るであろう。
【図面の簡単な説明】
【００２１】
【図１】実施例に係るモータを示す斜視図である。
【図２】実施例に係るモータを示す断面図である。
【図３】実施例に係るモータのハウジングとコネクタが配置されたカバーの間の結合関係を示す分解斜視図である。
【図４】実施例に係るモータのカバーを示す底面斜視図である。
【図５】実施例に係るモータのカバーに配置された回路基板とコネクタの配置を示す図面である。
【図６】実施例に係るモータのカバーに配置された回路基板とコネクタの配置を示す図面である。
【図７】実施例に係るモータのコネクタを示す斜視図である。
【図８】実施例に係るモータのコネクタを示す分解斜視図である。
【図９】実施例に係るモータのコネクタを示す底面斜視図である。
【発明を実施するための形態】
【００２２】
以下、添付された図面を参照して本発明の好ましい実施例を詳細に説明する。
【００２３】
ただし、本発明の技術思想は説明される一部の実施例に限定されるものではなく、互いに異なる多様な形態で具現され得、本発明の技術思想の範囲内であれば、実施例間にその構成要素のうち一つ以上を選択的に結合、置換して使うことができる。
【００２４】
また、本発明の実施例で使われる用語（技術および科学的用語を含む）は、明白に特に定義されて記述されない限り、本発明が属する技術分野で通常の知識を有する者に一般的に理解され得る意味で解釈され得、辞書に定義された用語のように一般的に使われる用語は関連技術の文脈上の意味を考慮してその意味を解釈できるであろう。
【００２５】
また、本発明の実施例で使われた用語は実施例を説明するためのものであり、本発明を制限しようとするものではない。
【００２６】
本明細書で、単数型は文面で特に言及しない限り複数型も含むことができ、「Ａおよび（と）Ｂ、Ｃのうち少なくとも一つ（または一つ以上）」と記載される場合、Ａ、Ｂ、Ｃで組み合わせできるすべての組み合わせのうち一つ以上を含むことができる。
【００２７】
また、本発明の実施例の構成要素を説明するにおいて、第１、第２、Ａ、Ｂ、（ａ）、（ｂ）等の用語を使うことができる。
【００２８】
このような用語はその構成要素を他の構成要素と区別するためのものに過ぎず、その用語によって該当構成要素の本質や順番または順序などに限定されない。
【００２９】
そして、ある構成要素が他の構成要素に「連結」、「結合」または「接続」されると記載された場合、その構成要素はその他の構成要素に直接的に連結、結合または接続される場合だけでなく、その構成要素とその他の構成要素の間にあるさらに他の構成要素によって「連結」、「結合」または「接続」される場合も含み得る。
【００３０】
また、各構成要素の「上（うえ）または下（した）」に形成または配置されるものと記載される場合、上（うえ）または下（した）は二つの構成要素が互いに直接接触する場合だけでなく、一つ以上のさらに他の構成要素が二つの構成要素の間に形成または配置される場合も含む。また、「上（うえ）または下（した）」と表現される場合、一つの構成要素を基準として上側方向だけでなく下側方向の意味も含むことができる。
【００３１】
以下、添付された図面を参照して実施例を詳細に説明するものの、図面符号にかかわらず同一または対応する構成要素は同一の参照番号を付し、これに対する重複する説明は省略することにする。
【００３２】
図１は実施例に係るモータを示す斜視図であり、図２は実施例に係るモータを示す断面図であり、図３は実施例に係るモータのハウジングとコネクタが配置されたカバーの間の結合関係を示す分解斜視図である。図１でｘ方向は軸方向を意味し、ｙ方向は半径方向を意味し得る。そして、前記軸方向と前記半径方向は互いに垂直であり得る。
【００３３】
図１〜図３を参照すると、実施例に係るモータ１は一側に開口が形成されたハウジング１００、ハウジング１００の上部に配置されるカバー２００、カバー２００の下部に配置される回路基板３００、回路基板３００と電気的に連結されるコネクタ４００、シャフト７００と結合するロータ５００、ハウジング１００の内部に配置されるステータ６００、ロータ５００とともに回転するシャフト７００、ステータ６００の上側に配置されるバスバー８００、前記シャフト７００に結合されるセンシングマグネット組立体９００および前記ハウジング１００に固定されるパワーターミナル１０００を含むことができる。
【００３４】
前記ロータ５００と前記ステータ６００はハウジング１００の内部に収容され得る。そして、コネクタ４００はカバー２００に流動性が確保されるように結合され得る。ここで、前記コネクタ４００はセンサコネクタと呼ばれ得る。また、前記パワーターミナル１０００はパワーコネクタと呼ばれ得る。
【００３５】
車両のＥＣＵ側のコネクタ（図示されず）が前記コネクタ４００とパワーターミナル１０００に結合される時、ハウジング１００に固定されたパワーターミナル１０００は結合位置を提供することができる。
【００３６】
万一、前記コネクタ４００が流動性なしにカバー２００に固定されると、車両のＥＣＵ側のコネクタ（図示されず）がコネクタ４００とパワーターミナル１０００に結合される時、コネクタ４００等に損傷が発生し得る。例えば、前記ハウジング１００に固定されるパワーターミナル１０００と同一にコネクタ４００がカバー２００に固定設置されると、組立公差によってコネクタ４００およびパワーターミナル１０００の組立位置に偏差が発生し得る。そして、前記偏差によってＥＣＵ側のコネクタによって印加される荷重は前記コネクタ４００とパワーターミナル１０００を損傷させ得る。
【００３７】
したがって、前記モータ１は流動性が確保されたカバー２００とコネクタ４００の結合構造を利用することによって、損傷なくＥＣＵ側のコネクタを前記コネクタ４００とパワーターミナル１０００に容易に連結されるようにする。例えば、前記ハウジング１００にパワーターミナル１０００が固定されても前記コネクタ４００はカバー２００に流動性があるように配置されるため、前記偏差が発生しても前記流動性によって前記コネクタ４００およびパワーターミナル１０００の損傷が防止され得る。
【００３８】
ここで、前記モータ１は電子式パワーステアリングシステム（ＥＰＳ）に使われ得る。
【００３９】
ハウジング１００とカバー２００は前記モータ１の外形を形成することができる。ハウジング１００とカバー２００はボルトのような第１固定部材１０を通じて結合され得る。そして、ハウジング１００とカバー２００の結合によって前記モータ１の内部に収容空間が形成され得る。それにより、前記収容空間には、図２に図示された通り、回路基板３００、コネクタ４００、ロータ５００、ステータ６００、シャフト７００、バスバー８００およびセンシングマグネット組立体９００等が配置され得る。この時、シャフト７００は前記収容空間に回転可能に配置され得る。前記モータ１はシャフト７００の上部と下部にそれぞれ配置されるベアリング２０を含むことができる。
【００４０】
ハウジング１００は円筒状に形成され得る。そして、ハウジング１００は内部にロータ５００、ステータ６００等を収容することができる。この時、ハウジング１００の形状や材質は多様に変更され得る。例えば、ハウジング１００は高温でもよく耐え得る金属材質で形成され得る。
【００４１】
カバー２００は前記ハウジング１００の開口を覆うようにハウジング１００の開口面、すなわちハウジング１００の上部に配置され得る。
【００４２】
図４は、実施例に係るモータのカバーを示す底面斜視図である。
【００４３】
図４を参照すると、カバー２００はカバーボディ２１０およびカバーボディ２１０の下部から軸方向に突出したカバー突起２２０を含むことができる。ここで、カバーボディ２１０とカバー突起２２０は一体に形成され得る。
【００４４】
カバーボディ２１０は前記ハウジング１００の開口を覆うようにハウジング１００の上部に配置され得る。そして、カバーボディ２１０の下部には回路基板３００が配置され得る。
【００４５】
カバー突起２２０はカバー２００とコネクタ４００の結合を案内することができる。
【００４６】
カバー突起２２０は内部に溝２２１が形成された筒状に形成され得る。それにより、前記溝２２１にはコネクタ４００の一領域が配置され得る。この時、コネクタ４００はカバー突起２２０に嵌合方式で結合され得る。
【００４７】
ここで、カバー突起２２０は所定の高さを有するように形成されるため、半径方向にコネクタ４００に荷重が印加されてもカバー突起２２０はコネクタ４００に半径方向に流動性を有するようにする。
【００４８】
さらに、カバー突起２２０は筒状に形成時、所定の厚さを有するように合成樹脂材質で形成され得るため弾性力を確保することができる。それにより、前記カバー突起２２０は前記コネクタ４００の嵌合を容易に誘導することができる。
【００４９】
一方、カバー突起２２０の一部は切開され得る。それにより、図４に図示された通り、カバー突起２２０の一側には軸方向に切開された切開部２２２が形成され得る。
【００５０】
カバー突起２２０とコネクタ４００の結合時、前記切開部２２２はカバー突起２２０がコネクタ４００の一側を弾性支持できるようにする。例えば、前記嵌合方式でコネクタ４００がカバー突起２２０に結合時、切開部２２２によってカバー突起２２０の内側面２２３はコネクタ４００に密着し得る。この時、前記切開部２２２によって弾性力が確保された前記カバー突起２２０の損傷が防止され得る。
【００５１】
すなわち、前記切開部２２２はコネクタ４００との嵌合のための弾性力を提供することができる。また、前記切開部２２２はカバー突起２２０の損傷を防止しつつ、コネクタ４００に対する流動性を提供することができる。
【００５２】
回路基板３００はセンシングマグネット組立体９００のセンシングマグネット９１０の磁力を感知することができる。したがって、回路基板３００はセンシングマグネット９１０の磁力を感知するセンサ３１０が実装された印刷回路基板（ＰＣＢ）で提供され得る。
【００５３】
ここで、前記センサ３１０はホールＩＣ（Ｈａｌｌ  ＩＣ）で提供され得る。そして、前記センサ３１０はセンシングマグネット９１０のＮ極とＳ極の変化を感知してセンシングシグナルを生成することができる。
【００５４】
図５および図６は、実施例に係るモータのカバーに配置された回路基板とコネクタの配置を示す図面である。
【００５５】
図５および図６を参照すると、回路基板３００はカバー２００の下部に配置され得る。この時、カバー２００の下面２１１から突出するように形成された突出部２１２に前記回路基板３００が配置され得る。そして、第２固定部材３０により前記回路基板３００は突出部２１２に固定され得る。ここで、前記突出部２１２の突出高さは前記回路基板３００とコネクタ４００の結合位置を考慮して形成され得る。
【００５６】
そして、図５および図６に図示された通り、回路基板３００の一側に配置された電線３２０により回路基板３００とコネクタ４００は電気的に連結され得る。
【００５７】
図７は実施例に係るモータのコネクタを示す斜視図であり、図８は実施例に係るモータのコネクタを示す分解斜視図であり、図９は実施例に係るモータのコネクタを示す底面斜視図である。
【００５８】
図７〜図９を参照すると、コネクタ４００はコネクタボディ４１０および前記コネクタボディ４１０の上部に配置されるグロメット４２０を含むことができる。また、前記コネクタ４００はコネクタボディ４１０の両側面４１１から幅方向にそれぞれ突出した第１突起４３０、コネクタボディ４１０の上部面４１２から互いに離隔するように軸方向に突出した一対の第２突起４４０および前記コネクタボディ４１０の下部面４１３から軸方向に突出した第３突起４５０を含むことができる。この時、コネクタボディ４１０、第１突起４３０、第２突起４４０および第３突起４５０は一体に形成され得る。ここで、前記幅方向とは平面上半径方向に垂直な方向であり得る。
【００５９】
コネクタボディ４１０は車両のＥＣＵ側のコネクタとの結合を通じて前記ＥＣＵ側のコネクタと電気的に連結され得る。この時、コネクタボディ４１０の内部にはターミナルが配置され得る。ここで、前記ターミナルの一側は電線３２０と電気的に連結され得る。
【００６０】
グロメット４２０はコネクタボディ４１０の上部に配置され得る。図５に図示された通り、コネクタボディ４１０に結合されたグロメット４２０はカバー突起２２０の内部に配置されてコネクタ４００が流動性を有するようにする。
【００６１】
図８を参照すると、グロメット４２０には溝４２１が形成され得る。そして、図７に図示された通り、前記溝４２１には第１突起４３０が結合され得る。
【００６２】
一方、グロメット４２０は弾性力を有するゴム材質で形成され得る。それにより、カバー突起２２０に結合されたコネクタ４００の流動性はグロメット４２０の弾性力によって確保され得る。
【００６３】
第１突起４３０はコネクタボディ４１０の一側面と他側面から幅方向にそれぞれ突出し得る。そして、第１突起４３０はグロメット４２０の溝４２１と結合することができる。それにより、グロメット４２０はコネクタボディ４１０に固定され得る。
【００６４】
ここで、第１突起４３０とグロメット４２０の溝４２１の結合を通じてグロメット４２０がコネクタボディ４１０に配置されるものをその例としているが、必ずしもこれに限定されない。例えば、二重射出方式を通じてグロメット４２０をコネクタボディ４１０に配置してもよい。第２突起４４０はグロメット４２０がコネクタボディ４１０に結合されることを案内する。そして、第２突起４４０はグロメット４２０を支持して半径方向にグロメット４２０が流動することを防止する。
【００６５】
第２突起４４０はコネクタボディ４１０の上部面４１２から軸方向に突出し得る。この時、所定の間隔を有するように第２突起４４０は半径方向に互いに離隔するように配置され得る。それにより、第２突起４４０の間にはグロメット４２０が配置され得る。
【００６６】
したがって、第２突起４４０の間にグロメット４２０が配置された状態で、前記第２突起４４０はカバー突起２２０と結合することができる。
【００６７】
第３突起４５０は前記コネクタボディ４１０の下部面４１３から軸方向に突出するように形成され得る。
【００６８】
そして、第３突起４５０はハウジング１００に形成された溝１１０に結合され得る。この時、カバー２００にコネクタ４００を優先的に仮組立した状態でハウジング１００の溝１１０と結合する第３突起４５０を利用して、コネクタ４００はハウジング１００に結合され得る。
【００６９】
図９を参照すると、互いに向かい合うようにした一対の第３突起４５０が前記コネクタボディ４１０の下部面４１３に離隔して形成され得る。この時、第３突起４５０にはリブ４５１が形成されて第３突起４５０の剛性を向上させることができる。
【００７０】
ここで、第３突起４５０は一対で形成されたものをその例としているが、必ずしもこれに限定されるものではない。例えば、第３突起４５０は一つの突起の形状で形成され得る。しかし、一つの突起の形状より一対で形成された第３突起４５０の場合、材料の削減が可能である。ただし、剛性を確保するために第３突起４５０にはリブ４５１が配置され得る。
【００７１】
したがって、前記コネクタボディ４１０の上部はグロメット４２０が結合された状態でカバー突起２２０に結合され、下部は第３突起４５０がハウジング１００に形成された溝１１０に結合されるため、前記コネクタ４００は前記モータ１から軸方向および半径方向への位置が決定される。
【００７２】
この時、前記コネクタ４００のグロメット４２０が弾性力を有する材質で形成されるため、コネクタ４００は流動性を確保することができる。
【００７３】
さらに、所定の高さを有するカバー突起２２０にコネクタ４００が結合されるため、コネクタ４００に半径方向に荷重が印加されてもさらに容易に前記荷重に対応することができる。
【００７４】
また、前記コネクタ４００の内側の一領域がカバー突起２２０に結合されるようにすることによって、上下方向にチルティングを可能にする。それにより、前記コネクタ４００の流動性はさらに向上し得る。
【００７５】
図２を参照すると、ロータ５００はステータ６００の内側に配置され得、中心部にシャフト７００が圧入方式で結合され得る。ここで、内側とは中心Ｃ方向を意味し、前記外側は内側に反対となる方向を意味し得る。
【００７６】
そして、ロータ５００はステータ６００に回転可能に配置され得る。
【００７７】
図２を参照すると、ロータ５００はロータコア（図示されず）および前記ロータコアの外周面に円周方向に沿って配置される複数個のマグネット（図示されず）を含むことができる。ここで、マグネットはロータマグネットまたはドライブマグネットと呼ばれ得る。
【００７８】
この時、ロータ５００は前記ロータコアの外周面に複数個のマグネットが配置されるものをその例としているが、必ずしもこれに限定されない。例えば、前記ロータ５００は前記ロータコアの内部にマグネットが配置されるＩＰＭ（Ｉｎｔｅｒｉｏｒ  Ｐｅｒｍａｎｅｎｔ  Ｍａｇｎｅｔ）タイプで形成されてもよい。
【００７９】
前記ロータコアは円形の薄い鋼板の形態の複数個のプレートが積層された形状で実施されてもよく、一つの筒の形態で実施されてもよい。そして、前記ロータコアの中心にはシャフト７００が結合するホールが形成され得る。
【００８０】
前記マグネットはステータ６００のステータコア６１０に巻かれたコイル６３０と回転磁界を形成する。このようなマグネットはシャフト７００を中心に円周方向に沿ってＮ極とＳ極が交互に位置するように配置され得る。
【００８１】
それにより、コイル６３０と前記ロータ５００のマグネットの電気的相互作用でロータ５００が回転し、ロータ５００の回転に連動してシャフト７００が回転することによって前記モータ１の駆動力が発生する。
【００８２】
一方、ロータ５００は前記マグネットが付着された前記ロータコアを覆うように配置される缶（図示されず）をさらに含むことができる。
【００８３】
前記缶は外部衝撃や物理、化学的な刺激からロータコアとマグネットを保護しつつロータコアとマグネットに異物が流入することを遮断することができる。
【００８４】
また、前記缶は前記ロータコアでマグネットが離脱することを防止する。
【００８５】
ステータ６００はハウジング１００の内側に配置され得る。この時、ステータ６００は熱間圧入方式を通じてハウジング１００に結合され得る。それにより、ステータ６００はハウジング１００の内周面に支持され得る。そして、ステータ６００はロータ５００の外側に配置される。すなわち、ステータ６００の内側にはロータ５００が回転可能に配置され得る。
【００８６】
図２を参照すると、ステータ６００はステータコア６１０、前記ステータコア６１０に配置されるインシュレータ６２０および前記インシュレータ６２０に巻線されるコイル６３０を含むことができる。ここで、インシュレータ６２０はステータコア６１０とコイル６３０の間に配置されてコイル６３０を絶縁させることができる。
【００８７】
ステータコア６１０には回転磁界を形成するコイル６３０が巻線され得る。
【００８８】
ステータコア６１０は一つのコアで形成されるか複数個の分割コアが結合されて形成され得る。
【００８９】
ステータコア６１０は薄い鋼板の形態の複数個のプレートが相互に積層された形態で形成され得るが、必ずしもこれに限定されるものではない。例えば、ステータコア６１０は一つの単一品で形成されてもよい。
【００９０】
ステータコア６１０はヨークおよび前記ヨークから半径方向に突出した複数個のトゥースを含むことができる。そして、前記トゥースにはコイル６３０が巻線され得る。この時、前記トゥースとコイル６３０の間にインシュレータ６２０が配置されてコイル６３０を絶縁させることができる。
【００９１】
インシュレータ６２０はステータコア６１０とコイル６３０を絶縁させるように合成樹脂材質で形成され得る。そして、コイル６３０はインシュレータ６２０が配置されたステータコア６１０に巻線され得る。
【００９２】
インシュレータ６２０はステータコア６１０の上側と下側に結合され得る。この時、ステータコア６１０との結合のためにインシュレータ６２０は一つの単一品で形成され得る。またはインシュレータ６２０はステータコア６１０に円周方向に沿って配置されるように複数個の単位インシュレータで形成されてもよい。
【００９３】
シャフト７００は、図２に図示された通り、ベアリング２０によりハウジング１００の内部に回転可能に支持され得る。そして、シャフト７００はロータ５００の回転に連動して共に回転することができる。
【００９４】
バスバー８００はステータ６００の上部に配置され得る。
【００９５】
そして、バスバー８００はステータ６００のコイル６３０と電気的に連結され得る。そして、バスバー８００はパワーターミナル１０００と電気的に連結され得る。
【００９６】
バスバー８００はバスバーボディと前記バスバーボディの内部に配置される複数個のターミナルを含むことができる。ここで、前記バスバーボディは射出成形を通じて形成されたモールド物であり得る。そして、前記ターミナルはステータ６００のコイル６３０と電気的に連結され得る。この時、コイル６３０のうち一部はパワーターミナル１０００と電気的に連結されてもよく、または前記ターミナルを利用してパワーターミナル１０００と連結されてもよい。
【００９７】
センシングマグネット組立体９００はロータ５００と回転連動可能にシャフト７００に結合され得る。それにより、センシングマグネット組立体９００はロータ５００の位置を検出されるようにする。この時、センシングマグネット組立体９００はセンシングマグネット９１０とセンシングプレート９２０を含むことができる。ここで、センシングマグネット９１０とセンシングプレート９２０は同軸を有するように結合され得る。
【００９８】
センシングマグネット９１０は内周面を形成するセンシングプレート９２０のホールに隣接して円周方向に配置されるメインマグネットと縁に形成されるサブマグネットを含むことができる。前記メインマグネットはモータのロータ５００に挿入されたドライブマグネットと同一に配列され得る。そして、前記サブマグネットは前記メインマグネットより細分化されて多くの極で有するように形成され得る。これに伴い、回転角度をさらに細かく分割して測定することが可能であり、モータの駆動をさらにソフトにさせることができる
【００９９】
センシングプレート９２０は円板状の金属材質で形成され得る。センシングプレート９２０の上面にはセンシングマグネット９１０が結合され得る。そして、センシングプレート９２０はシャフト７００に結合され得る。ここで、センシングプレート９２０にはシャフト７００が貫通するホールが形成され得る。
【０１００】
パワーターミナル１０００はバスバー８００と電気的に連結されてハウジング１００に配置され得る。
【０１０１】
パワーターミナル１０００は、図１に図示された通り、ハウジング１００とカバー２００の間に配置され得る。この時、パワーターミナル１０００の一側は前記ＥＣＵ側のコネクタとの結合のために外部に露出され得る。
【０１０２】
図１を参照すると、パワーターミナル１０００は第３固定部材４０によりハウジング１００の一側に固定され得る。それにより、パワーターミナル１０００は前記ＥＣＵ側のコネクタとの結合時、結合位置に対する基準として提供され得る。
【０１０３】
したがって、前記モータ１はパワーターミナル１０００の位置が固定された状態でコネクタ４００の流動性を確保することができる。それにより、前記ＥＣＵ側のコネクタをパワーターミナル１０００とコネクタ４００に連結時、損傷のない直接締結を可能にする。この時、前記ＥＣＵ側のコネクタはパワーターミナル１０００とコネクタ４００に同時に連結される単一の部品で提供され得る。
【０１０４】
前記では本発明の好ましい実施例を参照して説明したが、該当技術分野の熟練した当業者は下記の特許請求の範囲に記載された本発明の思想および領域から逸脱しない範囲内で本発明を多様に修正および変更できることが理解できるであろう。
【符号の説明】
【０１０５】
１：モータ
１００：ハウジング
２００：カバー
３００：回路基板
４００：コネクタ
５００：ロータ
６００：ステータ
７００：シャフト
８００：バスバー
９００：センシングマグネット組立体
１０００：パワーターミナル
【図１】
2022500987.tif 000003
【図２】
2022500987.tif 000004
【図３】
2022500987.tif 000005
【図４】
2022500987.tif 000006
【図５】
2022500987.tif 000007
【図６】
2022500987.tif 000008
【図７】
2022500987.tif 000009
【図８】
2022500987.tif 000010
【図９】
2022500987.tif 000011
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
シャフトと、
前記シャフトと結合するロータと、
前記ロータの外側に配置されるステータと、
前記ロータと前記ステータを収容するハウジングと、
前記ハウジングの上部に配置されるカバーと、
前記カバーの下部に配置される回路基板と、
前記回路基板と電気的に連結されるコネクタと、を含み、
前記カバーはカバーボディ、および前記カバーボディの下部から軸方向に突出したカバー突起を含み、
前記コネクタはコネクタボディ、および前記コネクタボディの一側に配置されるグロメットを含み、
前記コネクタの前記グロメットは前記カバー突起に形成された溝内に配置される、モータ。
【請求項２】
前記コネクタは前記コネクタボディの両側面から突出した第１突起をさらに含み、
前記第１突起は前記グロメットに形成された溝と結合する、請求項１に記載のモータ。
【請求項３】
前記グロメットはゴム材質で形成される、請求項２に記載のモータ。
【請求項４】
前記コネクタは前記コネクタボディの上部面から互いに離隔するように前記軸方向に突出した一対の第２突起をさらに含み、
前記第２突起の間には前記グロメットが配置される、請求項３に記載のモータ。
【請求項５】
前記コネクタは前記コネクタボディの下部面から前記軸方向に突出した第３突起をさらに含み、
前記第３突起は前記ハウジングに形成された溝に結合される、請求項４に記載のモータ。
【請求項６】
前記カバー突起は前記カバー突起の一領域を切開して形成された切開部を含む、請求項１に記載のモータ。
【請求項７】
前記ハウジングに配置されるパワーターミナルをさらに含み、
前記パワーターミナルは固定部材によって前記ハウジングに固定される、請求項１に記載のモータ。
【請求項８】
前記回路基板は固定部材によって前記カバーの下部に固定され、
電線によって前記回路基板と前記コネクタは電気的に連結される、請求項１に記載のモータ。
【請求項９】
前記カバーは前記カバーの下面から突出するように形成された突出部を含み、
前記回路基板は前記突出部に固定される、請求項８に記載のモータ。
【請求項１０】
前記グロメットは二重射出方式によって前記コネクタボディに配置される、請求項３に記載のモータ。
【請求項１１】
前記グロメットは前記カバーボディの上部面の内側に配置される、請求項３に記載のモータ。
【請求項１２】
前記第３突起は前記軸方向で前記グロメットに重なるように配置される、請求項５に記載のモータ。
【請求項１３】
前記コネクタが結合される前記カバーと前記パワーターミナルが固定される前記ハウジングとが結合される場合、前記コネクタ及び前記パワーターミナルの組立位置に偏差が発生する、請求項７に記載のモータ。
【請求項１４】
前記ステータの上部に配置されたバスバーをさらに含み、
前記パワーターミナルは前記バスバーと電気的に連結される、請求項７に記載のモータ。
【請求項１５】
前記コネクタと前記パワーターミナルは幅方向に平行になるように配置される、請求項１４に記載のモータ。
【請求項１６】
電子制御装置（ＥＣＵ）のコネクタは、前記パワーターミナルと前記コネクタの両方に連結される単一の部品として提供される、請求項１５に記載のモータ。
【請求項１７】
前記ステータのコイルの幾つかは、前記パワーターミナルと電気的に連結される、請求項７又は１４に記載のモータ。
【国際調査報告】
2022500987.tif 000012
2022500987.tif 000013
2022500987.tif 000014
2022500987.tif 000015